(57)【要約】      （修正有）【課題】比較的安価に入手できるひのきの蒸留水について、容易かつ安価な方法で、ひのき成分の量をより多く含有するようになし、より芳香性、消臭性、防かび性、抗菌性を加味されるひのき蒸留水の提供。【解決手段】破砕したひのきの樹木又はひのきの葉ＳＬの少なくとも一方を水蒸気蒸留法１０によって抽出される油性画分２１及び水性画分２２を有する抽出物２０のうち前記水性画分２２に前記ひのきの葉ＳＬを浸漬しひのきの葉ＳＬの成分を浸出させたひのき蒸留水。【選択図】図１
2019143037.tif 000002
【特許請求の範囲】
【請求項１】
破砕したひのきの樹木又はひのきの葉の少なくとも一方を水蒸気蒸留法によって抽出される油性画分及び水性画分を有する抽出物のうち前記水性画分に前記ひのきの葉を浸漬しひのきの葉の成分を浸出させたことを特徴とするひのき蒸留水。
【請求項２】
前記水性画分に対して浸漬するひのきの葉は１重量％以上であることを特徴とする請求項１に記載のひのき蒸留水。
【請求項３】
請求項１又は２に記載のひのき蒸留水を含有することを特徴とする芳香剤。
【請求項４】
請求項１又は２に記載のひのき蒸留水を含有することを特徴とする防かび剤。
【請求項５】
請求項４に記載の防かび剤を、神具、木製の仏像、仏壇、仏具又は社寺の巻障子や柱などの建築物の内装の近傍において蒸散させることを特徴とする防かび方法。
【発明の詳細な説明】
【技術分野】
【０００１】
本発明は、例えば、芳香剤、防かび剤、抗菌剤等として使用される、ひのきの精油成分を含む蒸留水に関する。
【背景技術】
【０００２】
従来、本願出願人は、木製の仏像、仏壇、仏具又は社寺の巻障子や柱などの建築物の内装（以下、「仏像、仏壇等」という）の洗浄方法として、例えば、特許第６２５５４５７号（特許文献１）に記載される洗浄方法を採用している。
【０００３】
前記公報記載の洗浄方法は、木製仏壇、仏像等の被洗浄物の表面に中温の液体状の洗浄剤と木地の反り、ひび割れ防止するための保湿剤とを含む前処理洗浄剤を付着させると共に、前記前処理洗浄剤を前記被洗浄物の外方から覆うように、泡被膜洗浄剤による泡を前記被洗浄物の表面に付着させ、この付着から所定時間経過後で、前記被洗浄物の表面に前記泡が残留している間に、前記被洗浄物の表面に溶剤を注いで前記前処理洗浄剤及び前記泡被膜洗浄剤を洗い流す洗浄方法であって、その洗浄方法に使用する前記前処理洗浄剤は、木地の反り、ひび割れ防止剤として保湿性を有するグリコール系溶剤を含有させており、これによって、前記前処理洗浄剤に浸潤性が高く蒸発が遅いグリコール類を添加し、前記泡被膜洗浄剤の泡で覆うことで、木部全体をゆっくりと乾燥させ、内部と表面との急激な乾燥の差を防いで、木部の歪を減少させるので、木部の割れ、反りや金箔の剥離を防止するようにしたものである。
【０００４】
そして、前記公報記載の洗浄方法に使用する洗浄剤は、例えば、希釈溶媒として水を使用し、溶質として、界面活性剤、グリコール系溶剤及びアルコールを含むものを採用している（特許文献１、図２）。
【０００５】
しかしながら、文化財に指定されている社寺仏閣等については、相当程度建築年数を経ており、材料が劣化すると共にカビが発生しやすくなっており、洗浄後のカビ発生を防止するため、洗浄後に臭素ガスで薫蒸等を行う場合もある。
【０００６】
一方、従来より、ひのき（ヒバを含む）から抽出されるひのきの精油には、芳香性が高くまた、防カビ及び抗菌効果を有することが知られており、芳香剤や、防カビ剤、抗菌剤としても使用されており、さらにひのき成分中には十分な洗浄力と被洗浄物の乾燥性を併せ持つ成分（例えば、モノテルペン）を含んでいる。
【０００７】
そして、前記精油をひのき（ヒバを含む）から抽出する公知の方法としては、例えば、再公表特許ＷＯ２０１０/０９８４４０（特許文献２）に記載の方法がある。
【０００８】
前記公報に記載の抽出方法は、マイクロ波水蒸気蒸留法に関するものであり、マイクロ波を照射することにより、マイクロ波が水分子を直接加熱する性質を利用して、葉等の原料中に元から含まれている水分のみで精油の抽出を行う方法であって、蒸留槽、マイクロ波加熱装置、撹拌はね、気流流入管、蒸留物流出管、冷却装置、加熱制御装置、減圧ポンプ、圧力調整弁及び圧力制御装置を備えている。
【０００９】
そして、精油を抽出するには、抽出対象物となる原料を蒸留槽中に入れ、撹拌はねで撹拌しながら、蒸留槽の上面に設けられたマイクロ波加熱装置からマイクロ波を放射し、原料を加熱する。前記蒸留槽は、気流流入口および蒸留物流出管と連通されている。前記気流流入管は、空気あるいは窒素ガス等の不活性ガスを反応槽中に導入するものであり、この気流は、反応槽の下部から導入される。また、蒸留物流出管は、原料からの蒸留物を、反応槽の上部から外に導出するようにしている。
【００１０】
前記反応槽内部は、これに取り付けられた温度センサおよび圧力センサにより温度および圧力が測定されるようになっており、加熱制御装置および圧力制御装置、圧力調整弁を介してそれぞれ調整されるようになっている。
【００１１】
そして、蒸留物流出管を介して蒸留槽から流出した気体状の蒸留物は、冷却装置により液体に代えられ、抽出物として得られる。この抽出物には、水性画分と油性画分とがあるが、このうち油性画分が精油となる。
【００１２】
また、前記抽出物のうち、前記水性画分（蒸留水）には、前記精油に比べると量は少ないものの、ひのきの成分を含有している。一方、前記抽出法においては、前記抽出物から得られる前記精油（油性画分）に比べ、前記水性画分は多量の水性画分（蒸留水）が得らる。
【００１３】
そこで、社寺仏閣や内陣仏具、木製の仏像、仏壇、仏具又は社寺の巻障子や柱、神具などの建築物の内装や古民家や、家屋のフローリング等、木製（ひのき）の芳香がよく合う箇所に好適となる、芳香性、消臭性、防かび性、抗菌性を加味される芳香剤、消臭剤、防カビ剤、抗菌剤として、安価で安全性の高いひのき蒸留水の利用を考案するに至った。
【先行技術文献】
【特許文献】
【００１４】
【特許文献１】特許第６２５５４５７号
【特許文献２】ＷＯ２０１０/０９８４４０
【発明の概要】
【発明が解決しようとする課題】
【００１５】
しかしながら、前記抽出法により得られる蒸留水は、ひのき成分を含むものの、その量は前記油性画分に比べると僅かである。
【００１６】
本発明は、かかる事情に鑑みてなされたものであって、比較的安価に入手できるひのきの蒸留水について、容易かつ安価な方法で、ひのき成分の量をより多く含有するようになし、より芳香性、消臭性、防かび性、抗菌性を加味されるひのき蒸留水を提供することを目的とする。
【００１７】
また、本発明の他の目的は、前記ひのき蒸留水を使用する芳香剤、防かび剤、防かび方法を提供することにある。
【課題を解決するための手段】
【００１８】
請求項１に係るひのき蒸留水は、破砕したひのきの樹木又はひのきの葉の少なくとも一方を水蒸気蒸留法によって抽出される油性画分及び水性画分を有する抽出物のうち前記水性画分に前記ひのきの葉を浸漬しひのきの葉の成分を浸出させたことを特徴とする。
【００１９】
請求項２に係るひのき蒸留水は、前記水性画分に対して浸漬するひのきの葉は１重量％以上であることを特徴とする。
【００２０】
請求項３に係る芳香剤は、請求項１又は２に記載のひのき蒸留水を含有することを特徴とする。
【００２１】
請求項４に係る防かび剤は、請求項１又は２に記載のひのき蒸留水を含有することを特徴とする。
【００２２】
請求項５に係る防かび方法は、請求項４に記載の防かび剤を、木製の仏像、仏壇、仏具又は社寺の巻障子や柱などの建築物の内装の洗浄後に、被洗浄物の近傍にて蒸散させることを特徴とする。
【００２３】
本発明に係るひのき蒸留水は、破砕したひのきの樹木又はひのきの葉の少なくとも一方を水蒸気蒸留法によって抽出される油性画分及び水性画分を有する抽出物のうち前記水性画分に前記ひのきの葉を浸漬しひのきの葉の成分を浸出させたものであるので、前記水性画分からなるだけのひのき蒸留水に比べて、ひのきの成分濃度が高く、より芳香性、防かび性、防菌性を加味することができる。
【００２４】
そして、前記ひのき蒸留水は、前記水性画分に浸漬するひのきの葉は前記水性画分に対して少なくとも１重量％であれば、ひのきの成分濃度が高く、より芳香性、防かび性、防菌性を加味することができる。
【００２５】
また、本発明に係るひのき蒸留水を、芳香剤や防かび剤又は抗菌剤として使用する場合においても、ひのきの成分濃度が高く、より芳香性、防かび性、防菌性を加味することができる。
【発明の効果】
【００２６】
本発明に係るひのき蒸留水によれば、破砕したひのきの樹木又はひのきの葉の少なくとも一方を水蒸気蒸留法によって抽出される油性画分及び水性画分を有する抽出物のうち前記水性画分に前記ひのきの葉を浸漬しひのきの葉の成分を浸出させているので、前記水性画分からなるだけのひのき蒸留水に比べて、ひのきの成分濃度が高く、より芳香性、防かび性、防菌性を加味することができる。
【００２７】
そして、前記ひのき蒸留水は、前記水性画分に浸漬するひのきの葉は前記水性画分に対して少なくとも１重量％であれば、ひのきの成分濃度が高く、より芳香性、防かび性、防菌性を加味することができる。
【００２８】
また、本発明に係るひのき蒸留水を蒸散又は噴霧して芳香剤や防かび剤又は抗菌剤として使用する場合においても、ひのきの成分濃度が高く、より芳香性、防かび性、防菌性を加味することができる。
【図面の簡単な説明】
【００２９】
【図１】本発明に係る洗浄剤の成分であるひのきの抽出物を抽出するための水蒸気蒸留装置の概略模式図である。
【図２】ひのきの水性画分にひのきの葉を浸潤させた本発明に係るひのき蒸留水である。
【図３】ひのきの水性画分にひのきの葉を浸潤させた本発明に係るひのき蒸留水のクロマトグラフである。
【発明を実施するための形態】
【００３０】
以下、本発明を実施するための形態について、図面に従って説明する。
【００３１】
図１は、本発明に係る洗浄剤の成分であるひのきの抽出物を抽出するための水蒸気蒸留装置の概略模式図である。
【００３２】
図１において、符号１０は、原料となるひのきの葉から、水性画分を抽出するために使用される水蒸気蒸留装置である。前記水蒸気蒸留装置１０は、水を加熱して蒸気を生成する蒸気生成装置１１と、蒸留槽１２と冷却装置１３と貯留器１４とを夫々パイプ１５，１５で連結して形成されており、前記蒸気生成装置１１に入れられた水を、加熱手段１６により加熱し蒸気を生成し、前記蒸気を前記蒸留槽１２の下部に前記パイプにて導入する。一方、前記蒸留槽１２の中段には網１７が配置されており、前記網１７には原料となるひのきの葉ＳＬが載置される。そして、前記蒸留槽１２の下部から導入される蒸気は原料を蒸してひのきの成分を蒸気と共にパイプ１５を介して、前記冷却装置１３によって冷却させて蒸留されて抽出物２０として前記貯留器１４に蓄えている。前記抽出物２０は油性画分２１と水性画分２２とに分離されて蓄えられ、前記油性画分２１は精油となり、水性画分２２はひのき水（蒸留水）となる。
【００３３】
なお、原料となるひのきの葉ＳＬは、ひのきの樹木を破砕したチップでも良く、さらに、ひのきの葉ＳＬと前記チップを混合したものでも良いが、一般的にひのきの葉ＳＬだけを原料とするほうが、同等の質量のチップを原料とするよりも、抽出物２０の濃度は高くなる。
【００３４】
表１は、前記水蒸気蒸留装置１０で抽出した前記ひのきの葉ＳＬの前記油性画分２１を液体クロマトグラフ質量分析法（ＬＣ／ＭＳ）によって分析した組成表であり、表２は、前記水蒸気蒸留装置１０で抽出した前記ひのきの葉ＳＬの前記水性画分（ひのき水）２２を液体クロマトグラフ質量分析法（ＬＣ／ＭＳ）によって分析した組成表である。
【００３５】
【表１】
2019143037.tif 000003
【００３６】
【表２】
2019143037.tif 000004
【００３７】
前記表１と前記表２とを比較すると、前記水性画分（ひのき水）２２にも、精油成分を含有しており、特に、ピーク面積比（％）においては、テルピネン−４−オール、α−テルピネオール等のモノテルペンアルコール類が相対的に多く残留している。これらのひのきの精油成分は、ひのきの芳香性を有すると共に、抗菌作用、抗真菌作用、鎮静作用、鎮痛作用等を備えると共に、十分な洗浄力と被洗浄物の乾燥性を併せ持つものとしてしられている。
【００３８】
そして、本発明に係るひのき蒸留水ＳＷは、前述のように、破砕したひのきの樹木又はひのきの葉ＳＬの少なくとも一方を水蒸気蒸留法によって抽出される抽出物２０のうち前記水性画分２２に、さらに前記ひのきの葉ＳＬを浸漬しひのきの葉の成分を浸出させて形成するのである。
【００３９】
図２は水性画分２２にひのきの葉ＳＬを浸漬して形成したひのき蒸留水ＳＷであり、表３は、前記ひのき蒸留水ＳＷの組成表であり、図３はそのクロマトグラフである。
【００４０】
図２に示すように、容器３０内に、前記水性画分２２を３００ｃｃと、前記ひのきの葉ＳＬを３ｇ入れ、室温（２０℃〜２５℃）で２４時間浸漬させ、前記ひのきの葉ＳＬからひのきの葉の成分を浸出させてひのき蒸留水ＳＷを形成する。表３は前記ひのき蒸留水ＳＷを、液体クロマトグラフ質量分析法（ＬＣ／ＭＳ）によって分析したものであり、図３はそのクロマトグラフである。
【００４１】
【表３】
2019143037.tif 000005
【００４２】
前記表３及び図３に示すひのき蒸留水ＳＷと前記表２に示す水性画分２２とを比較すると、テルピネン−４−オール及びα−テルピネオールの相対比が増加していると共に、前記ひのき葉水には前記ひのき水では溶出されていなかったリモネンも含まれている。
【００４３】
すなわち、前記ひのき蒸留水ＳＷにおいては、前記水性画分２２に含まれるテルピネン−４−オール、α−テルピネオール等のひのきの成分により、ひのきの高い芳香性を顕著に有すると共に、抗菌作用、抗真菌作用等を備えるものとなっている。
【００４４】
そして、前記ひのき蒸留水ＳＷは、前記水性画分２２に対して、１重量％を浸漬するだけで、前述のように、ひのきの成分の濃度を高め、ひのきの高い芳香性を顕著に有すると共に、抗菌作用、抗真菌作用等を備えるものとなっているため、浸漬する重量％は、前記水性画分２２に対して１重量％以上であれば良い。
【００４５】
また、前記ひのき蒸留水ＳＷは、芳香性、防かび性、抗菌性を備えているため、前記ひのき蒸留水ＳＷは芳香剤、防かび剤及び抗菌剤として好適である。前記芳香剤等として使用する場合は、スプレー式容器に前記ひのき蒸留水ＳＷを入れて噴霧して使用したり、前記ひのき蒸留水ＳＷをディフューザー用容器に詰めて、専用ディフューザーで蒸散させて使用すると良い。
【００４６】
特に、社寺仏閣や内陣仏具、木製の仏像、仏壇、仏具又は社寺の巻障子や柱、神具などの建築物の内装や古民家や、家屋のフローリング等、木製（ひのき）の芳香がよく合う箇所の近傍にディフューザー等の蒸散器を設置し、前記ひのき蒸留水ＳＷを蒸散させると、ひのきの芳香を発揮すると共に、防かび、抗菌効果を発揮し、好適である。
【符号の説明】
【００４７】
１０  水蒸気蒸留装置
１１  蒸気生成装置
１２  蒸留槽
１３  冷却装置
１４  貯留器
１５  パイプ
１６  加熱手段
１７  網
２０  抽出物
２１  油性画分
２２  水性画分
ＳＬ  ひのきの葉
ＳＷ  ひのき蒸留水
【図１】
2019143037.tif 000006
【図２】
2019143037.tif 000007
【図３】
2019143037.tif 000008